(57)【要約】【課題】円筒形を維持させるための巻芯を不要として、コストの低減を図るとともに、廃棄するべき部分が生じないようにし、かつ使い始めに際して、ロール状軟質合成樹脂フィルムを収納箱に入れ直す必要をなくし、どこからでも、フィルムの端辺部を引き出すことができるようにした、無芯ロール状軟質合成樹脂フィルムを提供する。【解決手段】巻き始め部分を、芯に巻き付けることなく、適宜層に渡って接着することにより、剛質円筒状部２を形成し、この剛質円筒状部２に、それに続く部分を、接着することなく巻き付けることにより、軟質フィルム巻き付け層３を連続して形成する。【選択図】　　　　図１
2004042920.tif 000002
【特許請求の範囲】
【請求項１】
巻き始め部分を、芯に巻き付けることなく、適宜層に渡って接着することにより、剛質円筒状部を形成し、この剛質円筒状部に、それに続く部分を、接着することなく巻き付けることにより、軟質フィルム巻き付け層を連続して形成したことを特徴とする無芯ロール状軟質合成樹脂フィルム。
【請求項２】
フィルムを、多数の小さなエンボスを全面に設けた凹凸状のものとしてなる請求項１記載の無芯ロール状軟質合成樹脂フィルム。
【請求項３】
フィルムの巻き終り部分に、適宜の長さのリーダーを、巻き方向に沿って複数箇所で接着してなる請求項１または２記載の無芯ロール状軟質合成樹脂フィルム。
【請求項４】
フィルムに、１回の使用にあたって費される平均的長さ毎に、幅方向の切断案内線を入れてあることを特徴とする請求項１〜３のいずれかに記載の無芯ロール状軟質合成樹脂フィルム。
【発明の詳細な説明】
【０００１】
【発明の属する技術分野】
本発明は、軟質合成樹脂からなる無芯ロール状フィルムに関する。なお、本発明におけるフィルムの素材である軟質合成樹脂とは、ポリエチレン、エチレン酢酸ビニール共重合樹脂、エチレン、αオレフィン共重樹脂、ポリプロピレン、ポリ塩化ビニール、ポリ塩化ビニリデン、およびそれらの類似物を含み、平滑なものは勿論、多数のエンボスを設けた凹凸状のものも含む。
【０００２】
【従来の技術】
図４に示すように、主として包装用の従来のロール状軟質合成樹脂フィルム（０１）は、特に家庭用タイプにあっては、フィルム巻き付け層（０２）全体の円筒形状を維持させるために、円筒形の硬質の紙芯（０３）を必要としている。
そのため、製造コスト面で不利であるとともに、フィルム（０１）を使い終れば、紙芯（０３）は、カッター付き収納紙箱（０４）とともに廃棄物となり、その廃棄と処理のための手間とコストも、無視し難いものとなっている。
【０００３】
しかし、紙芯（０３）を廃止すると、フィルム巻き付け層（０２）の形状が崩れて、最後まで無駄なく円滑に使いきることは困難となる。
【０００４】
さらに、従来のロール状軟質合成樹脂フィルム（０１）においては、使用に際し、カッター付き収納紙箱（０４）の蓋を開いた後、巻き終り部分（０５）に接着してあるテープ状リーダー（０６）を爪先で起こして引張るのであるが、もし、このとき、ロール状軟質合成樹脂フィルム（０１）が、リーダー（０６）が裏側に隠れるような姿勢で収納されていると、リーダー（０６）を引き出すことができないので、リーダー（０６）が手前に来るように、フィルムを入れ直す必要が出る。
【０００５】
【発明が解決しようとする課題】
本発明は、円筒形を維持させるための巻芯を不要として、コストの低減を図るとともに、廃棄するべき部分が生じないようにした。
また本発明は、使い始めに際して、ロール状軟質合成樹脂フィルムを収納箱に入れ直す必要をなくし、どこからでも、フィルムの端辺部を引き出すことができるようにした、無芯ロール状軟質合成樹脂フィルムを提供することを目的としている。
【０００６】
【課題を解決するための手段】
前記の目的を達成するために、本発明においては、巻き始め部分を、芯に巻き付けることなく、適宜層に渡って接着することにより、剛質円筒状部を形成し、この剛質円筒状部に、それに続く部分を、接着することなく巻き付けることにより、軟質フィルム巻き付け層を連続して形成することを特徴としている。
フィルムを、多数の小さなエンボスを全面に設けた凹凸状のものとすることもある。
【０００７】
フィルムの巻き終り部分に、適宜の長さ、例えばフィルム巻き付け層をほぼ一周する長さのリーダーを、巻き方向に沿って複数箇所で接着することもある。
【０００８】
フィルムに、１回の使用にあたって費される平均的長さ毎に、幅方向の切断案内線を入れておくのがよい。
【０００９】
【発明の実施の形態】
以下、本発明の実施の形態を、図面にしたがって説明する。
図１に明示するように、本発明の無芯ロール状軟質合成樹脂フィルム（１）においては、フィルム巻き付け層（２）は、内周側の巻き始め部分を、適宜層に亘って、適宜の接着剤で接着した剛質円筒状部（３）と、それに続く部分を接着することなく、巻き付けて形成した軟質フィルム層（４）との連続する２部分から構成されている。
なお、図１においては、両部分の特徴を際立たせるために、誇張して模式的に描いてある。
【００１０】
具体的な例をあげて詳言する。
ポリエチレン、ポリ塩化ビニールあるいはポリ塩化ビニリデン等からなる、厚さ１０〜２０ミクロン程度、幅約１．５ｍ、長さ約３０ｍの帯状の軟質合成樹脂フィルム（１）を順次巻き付けて、内径約４０ｍｍの無芯ロール状軟質フィルムを形成するものとする。
【００１１】
帯状の軟質合成樹脂フィルム（１）の始端部の外面には、巻き付けに先立って、始端から少くとも、１２０ｍｍの長さの範囲に亘って、軟質可撓性の接着剤を塗布しておく。
【００１２】
帯状の軟質合成樹脂フィルム（１）の始端の内面を、図示を省略した直径約４０ｍｍの縮径可能な円柱状の巻芯に、適宜の接着剤により接着した後、軟質合成樹脂フィルム（１）に適度の軸線方向の張力を付与しつつ巻き重ねて行く。
【００１３】
これにより、軟質合成樹脂フィルム（１）の巻き始め部は、１巻き分もしくはそれ以上に渡って、接着剤により接着され、所要時間が経過すると、接着部は安定化して、剛質円筒状部（２）が形成される。
ついで、剛質円筒状部（２）に続く、接着されていない部分の軟質合成樹脂フィルム（１）を、長手方向の適宜の張力を加えつつ、剛質円筒状部（２）に巻き付けて、軟質フィルム巻き付け層（３）を重合形成する。
【００１４】
ついで、巻芯を縮径させて、剛質円筒状部（２）から抜き外し、かつ剛質円筒状部（２）および軟質フィルム巻き付け層（３）を、幅方向の所要の個所で切断して分割する。
【００１５】
その結果、個々に分離されたロール状包装用フィルムにおいて、剛質円筒状部（２）は、巻芯から抜いた後も、あたかも紙芯が存在するかのように、各層間が密着して擬似的に固形化するので、後続してその上に巻かれている軟質フィルム巻き付け層（３）も、安定して保持される。
【００１６】
なお、帯状の軟質合成樹脂フィルム（１）には、巻き付けに先立って、または巻き付けと同時に、１回の使用にあたって費される平均的長さ、例えば３０ｃｍ毎に、幅方向のミシン目もしくは凹溝等の切断案内線を入れておくのが望ましい。
【００１７】
さらに、図２に示すように、軟質合成樹脂フィルム（１）の巻き終わり部分（４）の外面に、紙製あるいは合成樹脂製のテープ状リーダー（５）を、巻き方向に沿って数か所において軽く接着（６）しておくのが望ましい。
【００１８】
リーダー（５）の長さは適宜であるが、フィルムの巻き終り部分（４）から突出している部分も加えて、少なくとも、軟質フィルム巻き付け層（３）を一周する程度とするのが望ましい。
【００１９】
図３は、本発明の無芯ロール状軟質合成樹脂フィルムの未使用の状態を示す斜視図である。
未使用の状態にあっては、前記リーダー（５）は、軟質フィルム巻き付け層（３）全体を極く軽く緊縛しており、この状態のまま、カッター付き収納紙箱（７）に収納されている。
【００２０】
使用に当たっては、カッター付き収納紙箱（７）の蓋を開けたまま、リーダー（６）の任意の箇所に指を引掛けてリーダー（５）を引っ張れば、フィルムの始端部（５）は引き出される。
【００２１】
【発明の効果】
請求項１記載の発明によると、　巻き始め部分を、適宜の層数に亘り、接着することにより剛質の円筒状に形成してあるため、従来のような紙芯は不要であり、しかも、形状が崩れたり、折り曲がったりすることはない。従って紙芯を廃止した分、コストの低減は可能となり、また不要となった紙芯の処理に伴う手間や費用は不要となる。
【００２２】
請求項２記載の発明によると、平滑フィルムの場合とは異なり、各層のフィルムが全面で密着することはなく、各層間に微小な間隙が存在するため、剥がし易く、かつ剥がす際に、途中で切断するのが防止される。
【００２３】
請求項３記載の発明によると、フィルムを容易にフィルム巻き付け層から引き剥がすことができるように、フィルムの巻き終り部分に、適宜の長さ、例えばフィルム巻き付け層をほぼ一周する長さのリーダーを、巻き方向に沿って複数個所で接着しておくことにより、ロール状フィルムがどのような向きで紙箱に収納されていても、これを入れ直すことなく、蓋を開ければ、直ちにリーダーを指によって容易に引っ張って、フィルムを楽に引き出すことができる。
【００２４】
請求項４記載の発明によると、一定の長さ毎に、幅方向の切断案内線を入れておくと、使用に便利であるとともに、従来のように、収納紙箱にカッターを設けておく必要はなくなるので、コストと廃棄処理に関する手間と費用を低減させることができる。
【図面の簡単な説明】
【図１】本発明の無芯ロール状軟質合成樹脂フィルムの一実施例を示す端面図である。
【図２】本発明の無芯ロール状軟質合成樹脂フィルムにおいて、リーダーを付けた例を示す斜視図である。
【図３】図２に示した実施例の未使用状態における斜視図である。
【図４】従来のロール状軟質合成樹脂フィルムの斜視図である。
【符号の説明】
（０１）ロール状軟質合成樹脂フィルム
（０２）フィルム巻き付け層
（０３）紙芯
（０４）カッター付き収納紙箱
（０５）巻き終り部分
（０６）リーダー
（０７）リーダー
（１）軟質合成樹脂フィルム
（２）剛質円筒状部
（３）軟質フィルム巻き付け層
（４）巻き終り部分
（５）リーダー
（６）接着部
（７）カッター付き収納紙箱
【図１】
2004042920.tif 000003
【図２】
2004042920.tif 000004
【図３】
2004042920.tif 000005
【図４】
2004042920.tif 000006